(57)【特許請求の範囲】
【請求項１】
ドアホンに備えられた撮像部において撮像された映像を表示可能であるとともに、警報信号を出力可能な室内装置を制御する指示装置であって、
複数の室内装置のそれぞれと通信する通信部と、
前記通信部において、前記複数の室内装置のうちのいずれかから警報信号を受信した場合に、ドアホンに備えられた撮像部に撮像を開始させるべき少なくとも１つの室内装置を特定する特定部と、
前記特定部において特定した前記少なくとも１つの室内装置に対して、一定期間にわたる撮像を、前記通信部を介して指示する指示部と、
を備え、
前記ドアホンに備えられた撮像部が撮像する期間は、前記警報信号の発信元の室内装置に対応するドアホンに近いドアホンに対して、遠いドアホンのほうが長くなるように設定されることを特徴とする指示装置。
【請求項２】
前記特定部は、
前記通信部が受信した警報信号の出力元である室内装置が設置された区域であって、かつ集合住宅内を複数の区域に分割した場合のいずれかの区域を特定する区域特定部と、
前記区域特定部において特定した区域に設置された前記少なくとも１つの室内装置を特定する室内装置特定部を備えることを特徴とする請求項１に記載の指示装置。
【請求項３】
前記特定部は、前記通信部が受信した警報信号の出力元である室内装置が設置された住戸から集合住宅の出入口に至る経路に配置される少なくとも１つの住戸のそれぞれに設置された室内装置を特定することを特徴とする請求項１に記載の指示装置。
【請求項４】
前記特定部は、
各室内装置に対して、集合住宅の出入口に至る経路に配置される少なくとも１つの住戸のそれぞれに設置された室内装置を示したテーブルを記憶する記憶部と、
前記通信部が受信した警報信号の出力元である室内装置を特定する出力元特定部と、
前記出力元特定部において特定した室内装置と、前記記憶部に記憶したテーブルをもとに、集合住宅の出入口に至る経路に配置される少なくとも１つの住戸のそれぞれに設置された室内装置を特定する室内装置特定部を備えることを特徴とする請求項３に記載の指示装置。
【請求項５】
前記特定部において特定した前記少なくとも１つの室内装置のそれぞれに対する撮像期間を決定する決定部をさらに備え、
前記指示部は、前記決定部において決定した撮像期間も指示することを特徴とする請求項１から４のいずれか１項に記載の指示装置。
【請求項６】
複数の室内装置と、
前記複数の室内装置のそれぞれを制御する指示装置とを備え、
前記複数の室内装置のそれぞれは、ドアホンに備えられた撮像部において撮像された映像を表示可能であるとともに、警報信号を出力可能であり、
前記指示装置は、
前記複数の室内装置のそれぞれと通信する通信部と、
前記通信部において、前記複数の室内装置のうちのいずれかから警報信号を受信した場合に、ドアホンに備えられた撮像部に撮像を開始させるべき少なくとも１つの室内装置を特定する特定部と、
前記特定部において特定した前記少なくとも１つの室内装置に対して、一定期間にわたる撮像を、前記通信部を介して指示する指示部とを備え、
前記ドアホンに備えられた撮像部が撮像する期間は、前記警報信号の発信元の室内装置に対応するドアホンに近いドアホンに対して、遠いドアホンのほうが長くなるように設定されることを特徴とする撮像システム。
【発明の詳細な説明】
【技術分野】
【０００１】
本発明は、撮像技術に関し、特に撮像を指示する指示装置、撮像システムに関する。
【背景技術】
【０００２】
インターホンシステムにおける防犯対策として、住戸単位で玄関前の映像が録画されている。さらに、強固な防犯対策を実施するために、居室親機同士がネットワークを結び、近隣住戸のインターホン録画装置を利用し、侵入者の映像が多方面から録画される（例えば、特許文献１参照）。
【先行技術文献】
【特許文献】
【０００３】
【特許文献１】特開２００８−８５８５０号公報
【発明の概要】
【発明が解決しようとする課題】
【０００４】
他の住戸に設けられた撮像装置に撮像をさせる場合、集合住宅の規模が大きくなることによって、動作すべき撮像装置の数が大きくなるほど、無駄に動作している撮像装置の数が大きくなる。一方、動作すべき撮像装置の数を小さくすると、必要な映像を撮像できていない状況が発生しうる。
【０００５】
本発明はこうした状況に鑑みなされたものであり、その目的は、効率的な撮像を指示する技術を提供することにある。
【課題を解決するための手段】
【０００６】
上記課題を解決するために、本発明のある態様の指示装置は、ドアホンに備えられた撮像部において撮像された映像を表示可能であるとともに、警報信号を出力可能な室内装置を制御する指示装置であって、複数の室内装置のそれぞれと通信する通信部と、通信部において、複数の室内装置のうちのいずれかから警報信号を受信した場合に、ドアホンに備えられた撮像部に撮像を開始させるべき少なくとも１つの室内装置を特定する特定部と、特定部において特定した少なくとも１つの室内装置に対して、一定期間にわたる撮像を、通信部を介して指示する指示部と、を備える。ドアホンに備えられた撮像部が撮像する期間は、警報信号の発信元の室内装置に対応するドアホンに近いドアホンに対して、遠いドアホンのほうが長くなるように設定される。
【０００７】
本発明の別の態様は、撮像システムである。この撮像システムは、複数の室内装置と、複数の室内装置のそれぞれを制御する指示装置とを備える。複数の室内装置のそれぞれは、ドアホンに備えられた撮像部において撮像された映像を表示可能であるとともに、警報信号を出力可能であり、指示装置は、複数の室内装置のそれぞれと通信する通信部と、通信部において、複数の室内装置のうちのいずれかから警報信号を受信した場合に、ドアホンに備えられた撮像部に撮像を開始させるべき少なくとも１つの室内装置を特定する特定部と、特定部において特定した少なくとも１つの室内装置に対して、一定期間にわたる撮像を、通信部を介して指示する指示部とを備える。ドアホンに備えられた撮像部が撮像する期間は、警報信号の発信元の室内装置に対応するドアホンに近いドアホンに対して、遠いドアホンのほうが長くなるように設定される。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、効率的な撮像を指示できる。
【図面の簡単な説明】
【００１０】
【図１】本発明の実施例１に係る撮像システムの構成を示す図である。
【図２】図１の室内装置およびドアホンの構成を示す図である。
【図３】図１の指示装置の構成を示す図である。
【図４】図３の室内装置特定部での処理概要を示す図である。
【図５】図１の撮像システムによる撮像手順を示すシーケンス図である。
【図６】図３の指示装置による指示手順を示すフローチャートである。
【図７】図２の室内装置による撮像手順を示すフローチャートである。
【図８】本発明の実施例２に係る指示装置の構成を示す図である。
【図９】図８の室内装置特定部での処理概要を示す図である。
【図１０】図８の室内装置特定部での別の処理概要を示す図である。
【発明を実施するための形態】
【００１１】
（実施例１）
本発明を具体的に説明する前に、概要を述べる。本発明の実施例１は、マンション等の集合住宅に設置されるインターホンシステムに関するが、来訪者と居住者とが１対１で会話した後に解錠することを目的としたインターホンに追加した機能に関する。ここでは、追加した機能に着目して、撮像システムと呼ぶ。撮像システムおける追加の機能は、例えば、非常ボタン等が押し下げられるような非常事態における防犯対策として使用される。
【００１２】
マンションの各住戸の玄関にはドアホンが設置されている。ドアホンには撮像部が設けられており、撮像部は、住戸に訪問してきた来訪者を撮像する。撮像された映像は、住戸内に設置された室内装置の表示部に表示されたり、室内装置に記憶されたりする。この映像は、基本的に、居住者が来訪者を確認するために使用される。さらに、いずれかの住戸で非常ボタンが押し下げられることによって、非常事態になった場合、非常ボタンが押し下げられた住戸以外の住戸に設置されたドアホンの撮像部も撮像を開始する。つまり、通常時には来訪者の確認用に使用されていたドアホンの撮像部が、非常事態には防犯用に使用される。
【００１３】
前述のごとく、集合住宅の規模が大きくなることによって、動作すべき撮像部の数が大きくなるほど、無駄に動作している撮像部の数が大きくなる。一方、動作すべき撮像部の数を小さくすると、必要な映像を撮像できていない状況が発生しうる。さらに、撮像部に撮像された映像は録画されるが、撮像期間が長くなるほど録画した映像のデータサイズが大きくなる。このような状況下において、効率的な撮像を指示するために、非常ボタンが押し下げられた住戸（以下、「発報側」という）と同一階の住戸（以下、「受報側」という）に設置されたドアホンの撮像部が撮像を開始する。このように侵入者が撮影される可能性の高い撮像部のみに撮像を実行させ、残りの撮像部に撮像を実行させないので、効率的な撮像の指示が可能になる。また、撮像期間を一定期間に制限させるので、録画した映像のデータサイズの増加が抑制される。
【００１４】
図１は、本発明の実施例１に係る撮像システム１００の構成を示す。撮像システム１００は、ロビーインターホン１０、制御装置１２、室内装置１６と総称される第１室内装置１６ａ、第２室内装置１６ｂ、第３室内装置１６ｃ、第Ｎ室内装置１６ｎ、ドアホン１８と総称される第１ドアホン１８ａ、第２ドアホン１８ｂ、第３ドアホン１８ｃ、第Ｎドアホン１８ｎ、増設カメラ２２、サーバ装置２８を含む。集合住宅内には、住戸１４と総称される第１住戸１４ａ、第２住戸１４ｂ、第３住戸１４ｃ、第Ｎ住戸１４ｎが含まれる。第１住戸１４ａには、第１室内装置１６ａ、第１ドアホン１８ａが設置され、第２住戸１４ｂには、第２室内装置１６ｂ、第２ドアホン１８ｂが設置され、第３住戸１４ｃには、第３室内装置１６ｃ、第３ドアホン１８ｃが設置され、第Ｎ住戸１４ｎには、第Ｎ室内装置１６ｎ、第Ｎドアホン１８ｎが設置される。
【００１５】
撮像システム１００は、例えば、集合住宅内に設置される。ここでは、撮像システム１００のうち、従来のインターホンシステムに対応した部分をまず説明する。ロビーインターホン１０は、ロビーに設置されたインターホンであり、増設カメラ２２を接続する。ロビーインターホン１０に備えられたボタンは、来訪者が集合住宅内に入る際に押されるとともに、増設カメラ２２は、来訪者を撮像する。なお、増設カメラ２２は、ロビー以外の場所、例えば、駐車場等の共用部に設置されてもよい。ロビーインターホン１０は、共用部幹線２４を介して制御装置１２に接続され、制御装置１２は、占有幹線２６を介して複数の室内装置１６のそれぞれに接続される。制御装置１２は、機械室や管理人室などの共用スペースに設置され、ロビーインターホン１０と室内装置１６との間の信号を中継する。共用部幹線２４、占有幹線２６は、ロビーインターホン１０からの呼出信号、室内装置１６からの応答信号等を伝送するための伝送路である。共用部幹線２４、占有幹線２６には、増設カメラ２２において撮影された来訪者の映像信号、ロビーインターホン１０と室内装置１６から出力される来訪者の音声信号、居住者の音声信号も伝送する。
【００１６】
室内装置１６は、住戸１４内に設置されており、住宅情報盤、住戸機、居室親機とも呼ばれる。また、室内装置１６には、住戸１４の玄関に設置されたドアホン１８が接続される。ドアホン１８は、ドアインターホン、居室子機とも呼ばれる。ドアホン１８には、呼出ボタンが設けられており、呼出ボタンが押し下げられると、呼出信号を室内装置１６に出力する。室内装置１６は、ドアホン１８からの呼出信号を入力すると、居住者の呼出を実行する。それに応じて、ドアホン１８と室内装置１６と通話が可能になる。また、ドアホン１８には撮像部が備えられており、撮像部は、呼出ボタンが押し下げられた場合に、来訪者を撮像する。撮像部において撮像された映像は、室内装置１６に備えられた表示部に表示される。そのため、居住者は、室内装置１６の表示部に表示された映像を見ることによって、来訪者を確認する。
【００１７】
複数の室内装置１６のそれぞれには、非常ボタンが備えられており、例えば、居住者が侵入者を発見した場合に、非常ボタンが居住者によって押し下げられる。このような状態は、前述の非常事態に相当する。室内装置１６は、非常ボタンが押し下げられた場合、占有幹線２６を介して、警報信号を制御装置１２に送信する。制御装置１２は、従来のインターホンシステムに対応した構成に加えて、指示装置２０を含む。指示装置２０は、警報信号を受信すると、複数の室内装置１６のそれぞれを制御する。指示装置２０での処理、撮像システム１００に対応したロビーインターホン１０、室内装置１６での処理については、後述する。
【００１８】
図２は、室内装置１６およびドアホン１８の構成を示す。室内装置１６は、処理部３０、通信部３２、制御部３４、操作部３６、非常ボタン４８を含み、処理部３０は、ＩＦ部３８、記憶部４０、表示部４２、マイク４４、スピーカ４６を含む。ドアホン１８は、処理部５０、呼出ボタン５２を含み、処理部５０は、ＩＦ部５６、撮像部５８、マイク６０、スピーカ６２を含む。
【００１９】
ドアホン１８の呼出ボタン５２は、来訪者の操作を受けつけるためのユーザインタフェースである。呼出ボタン５２が来訪者によって押し下げられると、呼出ボタン５２は、呼出信号を室内装置１６に出力する。また、呼出ボタン５２が来訪者によって押し下げられると、処理部５０が動作する。
【００２０】
撮像部５８は、来訪者を撮影するためのものであり、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ、ＣＣＤ（Ｃｈａｒｇｅ  Ｃｏｕｐｌｅｄ  Ｄｅｖｉｃｅ）イメージセンサ等の固体撮像素子を備える。当該固体撮像素子は光電変換した映像信号をＩＦ部５６に出力する。ＩＦ部５６は、撮像部５８からの映像信号に対して種々の信号処理を実行する。種々の信号処理は、例えば、映像信号の露出を制御する露出制御処理、映像信号の色バランスを制御する色バランス制御処理、映像信号の階調特性を制御する階調特性制御処理、映像信号の輪郭強調度合いを制御する輪郭強調制御処理を含む。ＩＦ部５６は、信号処理を実行した映像信号（以下、これもまた「映像信号」という）を室内装置１６に送信する。
【００２１】
マイク６０とスピーカ６２は、来訪者が居住者と通話するためのユーザインタフェースである。マイク６０は来訪者の声を集音し、電気信号に変換してＩＦ部５６に出力する。スピーカ６２は、ＩＦ部５６からの電気信号を再生して音声出力する。ＩＦ部５６は、マイク６０からの電気信号を受けつけ、これを室内装置１６に伝送するための形式の信号（以下、「音声信号」という）に変換する。ＩＦ部５６は、音声信号を室内装置１６に送信する。一方、ＩＦ部５６は、室内装置１６から、室内装置１６において生成された音声信号を受信し、これを電気信号に変換する。ＩＦ部５６は、電気信号をスピーカ６２に出力する。
【００２２】
室内装置１６の通信部３２は、ドアホン１８との通信を実行するとともに、占有幹線２６を介して図示しないロビーインターホン１０との通信も実行する。通信部３２は、ドアホン１８からの呼出信号、あるいはロビーインターホン１０からの呼出信号を受信する。通信部３２は、受信した呼出信号を制御部３４に出力する。制御部３４は、呼出信号を受信すると、居住者の呼出を実行するとともに、処理部３０を動作させる。
【００２３】
通信部３２は、ドアホン１８からの映像信号、あるいはロビーインターホン１０からの映像信号を受信し、映像信号をＩＦ部３８に出力する。また、通信部３２は、ドアホン１８からの音声信号、あるいはロビーインターホン１０からの音声信号を受信し、音声信号をＩＦ部３８に出力する。さらに、通信部３２は、ＩＦ部３８からの音声信号を入力し、音声信号をドアホン１８あるいはロビーインターホン１０に送信する。
【００２４】
ＩＦ部３８、マイク４４、スピーカ４６は、ＩＦ部５６、マイク６０、スピーカ６２と同様の処理を実行する。記憶部４０は、ＩＦ部３８からの映像信号を入力し、映像信号を記憶する。また、表示部４２は、ＩＦ部３８からの映像信号を入力し、映像信号を映像として表示する。そのため、表示部４２は、撮像部５８において撮像された映像を表示可能である。
【００２５】
操作部３６は、制御部３４による呼出がなされた後、居住者が応答する際に押し下げられるボタンである。操作部３６は、ロビーの鍵を解錠するための解錠ボタンであってもよい。操作部３６が押し下げられると、制御部３４は、通信部３２、占有幹線２６を介して解錠信号を送信する。以上が、室内装置１６とドアホン１８による来訪者の訪問時、つまり通常時の処理である。さらに、室内装置１６とドアホン１８による非常事態の処理を説明する。ここでは、非常状態の処理として、発報側の処理を説明した後に、受報側の処理を説明する。なお、発報側の室内装置１６とドアホン１８と、受報側の室内装置１６とドアホン１８とが、別の場合もある。
【００２６】
まず、発報側の室内装置１６の処理を説明する。非常ボタン４８は、居住者が侵入者を発見した場合等の非常状態の発生時に、居住者によって押し下げられる。制御部３４は、非常ボタン４８の押下げを検出すると、通信部３２、占有幹線２６を介して、図示しない指示装置２０に警報信号を送信する。つまり、室内装置１６は、警報信号を出力可能である。ここで、警報信号には、送信元になる室内装置１６を識別するための識別情報が含まれる。識別情報として、例えば、室内装置１６が設置された住戸１４の住戸番号が使用される。
【００２７】
次に、受報側の室内装置１６の処理を説明する。通信部３２は、占有幹線２６を介して指示装置２０からの指示信号であって、かつ本室内装置１６が宛先となっている指示信号を受信する。指示信号には、撮像期間に関する情報も含まれている。通信部３２は、受信した指示信号を制御部３４に出力する。制御部３４は、指示信号を入力すると、指示信号から、撮像期間に関する情報を抽出する。また、制御部３４は、通信部３２を介して、ＩＦ部５６、撮像部５８に対して撮像の開始を指示する。撮像の開始の指示とともに、制御部３４は、ＩＦ部３８、記憶部４０に対して、ＩＦ部３８によって撮像された映像の録画の開始を指示する。
【００２８】
撮像の開始および録画の開始を指示した後、制御部３４は、撮像期間にわたって、記憶部４０に映像を録画させる。撮像期間が経過すると、制御部３４は、通信部３２を介して、ＩＦ部５６、撮像部５８に対して撮像の終了を指示するとともに、ＩＦ部３８、記憶部４０に対して、録画の終了を指示する。その後、制御部３４は、通信部３２に対して、記憶部４０に録画した映像の送信を指示する。その際の宛先は、例えば、図示しないサーバ装置２８である。通信部３２は、占有幹線２６のトラヒック量を監視し、トラヒック量がしきい値よりも小さくなった場合に送信を実行する。なお、通信部３２は、記憶部４０に録画した映像の一部、例えば、指示信号を受けてから撮像期間よりも短い期間の部分だけを送信してもよい。
【００２９】
図３は、指示装置２０の構成を示す。指示装置２０は、通信部７０、特定部７２、指示部７４を含み、特定部７２は、区域特定部７６、室内装置特定部７８を含み、室内装置特定部７８は、決定部８０を含む。通信部７０は、占有幹線２６を介して、複数の室内装置１６のそれぞれと通信する。通信部７０は、非常事態になった場合に、発報側の室内装置１６からの警報信号を受信する。前述のごとく、警報信号には、室内装置１６を識別するための識別情報が含まれる。通信部７０は、警報信号を特定部７２に出力する。
【００３０】
区域特定部７６は、通信部７０が受信した警報信号の出力元である室内装置１６が設置された区域を特定する。ここで、区域とは、集合住宅内を複数に分割した単位である。区域の一例は、階数である。区域特定部７６は、警報信号に含まれた識別情報を抽出し、識別情報より、室内装置１６が設置された住戸１４の階数を特定する。識別情報としての住戸番号が「６０３」である場合、区域特定部７６は、区域として「６階」を特定する。このように、区域特定部７６は、複数の区域のうちのいずれかの区域を特定する。区域特定部７６は、特定した区域の情報を室内装置特定部７８に出力する。
【００３１】
室内装置特定部７８は、区域特定部７６から、区域の情報を入力する。室内装置特定部７８は、区域特定部７６において特定した区域に設置された少なくとも１つの室内装置１６を特定する。ここでは、入力した階数における複数の住戸１４に設置された室内装置１６が特定される。
【００３２】
図４は、室内装置特定部７８での処理概要を示す。図４には、マンションに含まれる複数の住戸の概略が示される。マンションは、１階から９階までの９階建てであるので、前述の区域は、１階から９階のそれぞれに相当する。また、各階には、「１０」の住戸１４が含まれ、各階の中央部分にエレベータＥＶが配置される。住戸１４の住戸番号は、「１０１」のように示される。さらに、「１０１」の部分に、マンションのロビー等の出入口が配置される。警報信号に含まれた識別情報が住戸番号「６０３」を示している場合、区域特定部７６は、区域として６階を特定する。さらに、室内装置特定部７８は、６階に含まれた住戸番号「６０１」から「６１０」の住戸１４を特定する。図３に戻る。
【００３３】
このように区域特定部７６、室内装置特定部７８は、発報側の室内装置１６から警報信号を受信した場合に、ドアホン１８に備えられた撮像部５８に撮像を開始させるべき少なくとも１つの受報側の室内装置１６を特定する。さらに、室内装置特定部７８は、ロビーインターホン１０および増設カメラ２２を特定してもよい。なお、ロビーインターホン１０および増設カメラ２２を特定するか否かは、区域特定部７６において特定された階数に応じて決定されてもよい。室内装置特定部７８は、特定した室内装置１６に関する情報を指示部７４に出力する。
【００３４】
決定部８０は、室内装置特定部７８において特定した少なくとも１つの室内装置１６のそれぞれに対する撮像期間を決定する。撮像期間は、発報側の室内装置１６が設置された住戸１４から離れた住戸１４に設置された室内装置１６ほど長くなるように設定される。一方、撮像期間は、発報側の室内装置１６が設置された住戸１４から近い住戸１４に設置された室内装置１６ほど長くなるように設定されてもよい。さらに、撮像期間の基準は、エレベータ、階段等の他の階への移動手段との距離をもとに設定されてもよい。例えば、撮像期間は、エレベータ等に近い住戸１４ほど長くなるように設定される。なお、１階の場合は、出入口との距離が撮像期間の基準とされてもよい。その場合、撮像期間は、出入口に近い住戸１４ほど長くなるように設定される。決定部８０は、決定した撮像期間を指示部７４に出力する。
【００３５】
指示部７４は、室内装置特定部７８から、特定した室内装置１６に関する情報を入力し、決定部８０から撮像期間を入力する。特定した室内装置１６に関する情報は、例えば、住戸番号で示されており、１つ以上の住戸番号が含まれる。複数の住戸番号が含まれている場合、撮像期間も複数含まれており、住戸番号と撮像期間は１対１で対応している。指示部７４は、当該対応をもとに、住戸番号と撮像期間との組合せを生成し、生成した組合せが含まれた指示信号を生成する。１つの指示信号には、１つの組合せが含まれてもよく、複数の組合せが含まれてもよい。前者の場合、複数の組合せのそれぞれに対して、複数の指示信号が生成される。
【００３６】
指示部７４は、指示信号を通信部７０に送信させる。そのため、指示部７４は、特定部７２において特定した少なくとも１つの室内装置１６に対して、一定期間にわたる撮像を、通信部７０を介して指示する。また、指示部７４は、決定部８０において決定した撮像期間も指示する。
【００３７】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３８】
以上の構成による撮像システム１００の動作を説明する。図５は、撮像システム１００による撮像手順を示すシーケンス図である。第３室内装置１６ｃにおいて発報がなされる（Ｓ１０）。第３室内装置１６ｃは、警報信号を指示装置２０に送信する（Ｓ１２）。指示装置２０は、室内装置１６を特定する（Ｓ１４）。指示装置２０は、第１室内装置１６ａに指示信号を送信する（Ｓ１６）とともに、第２室内装置１６ｂに指示信号を送信する（Ｓ１８）。第１室内装置１６ａは、第１ドアホン１８ａにおいて撮像された映像を録画する（Ｓ２０）。第２室内装置１６ｂは、第２ドアホン１８ｂにおいて撮像された映像を録画する（Ｓ２２）。
【００３９】
図６は、指示装置２０による指示手順を示すフローチャートである。通信部７０は、警報信号を受信する（Ｓ５０）。特定部７２は、撮像を指示すべき室内装置１６を特定する（Ｓ５２）。指示部７４は、特定した室内装置１６に対して指示信号を送信する（Ｓ５４）。
【００４０】
図７は、室内装置１６による撮像手順を示すフローチャートである。通信部３２は、指示信号を受信する（Ｓ１００）。制御部３４は、通信部３２を介してドアホン１８を接続する（Ｓ１０２）。制御部３４は、撮像部５８に撮像を開始させながら、記憶部４０に録画を開始させる（Ｓ１０４）。一定期間経過しなければ（Ｓ１０６のＮ）、待機する。一定期間経過すれば（Ｓ１０６のＹ）、制御部３４は、撮像および録画を終了させる（Ｓ１０８）。送信可能でなければ（Ｓ１１０のＮ）、待機する。送信可能であれば（Ｓ１１０のＹ）、通信部３２は、録画データを送信する（Ｓ１１２）。
【００４１】
本発明の実施例によれば、警報信号を受信した場合に、ドアホンに備えられた撮像部に撮像を開始させるべき少なくとも１つの室内装置を特定し、少なくとも１つの室内装置に対して、一定期間にわたる撮像を指示するので、撮像の長期化を抑制できる。また、撮像の長期化が抑制されるので、録画する映像のデータ量の増加を抑制できる。また、録画する映像のデータ量の増加が抑制されるので、効率的な撮像を指示できる。また、発報側の室内装置が設置された階と同一の階の住戸に設置された室内装置に撮像を指示するので、撮像を指示する室内装置の数の増加を抑制できる。また、発報側の室内装置が設置された階と同一の階の住戸に設置された室内装置に撮像を指示するので、侵入者が撮影されている可能性の高い室内装置を選択できる。また、撮像を指示する室内装置の数の増加を抑制しながら、侵入者が撮影されている可能性の高い室内装置を選択するので、効率的な撮像を指示できる。
【００４２】
また、撮像を指示すべき少なくとも１つの室内装置のそれぞれに対する撮像期間を指示するので、室内装置が設置された住戸の位置に適した撮像期間を指示できる。また、発報側の室内装置が設置された住戸から離れた住戸に設置された室内装置ほど撮像期間が長くなるように設定するので、逃走している侵入者を撮像する可能を高くできる。また、発報側の室内装置が設置された住戸から近い住戸に設置された室内装置ほど撮像期間が長くなるように設定するので、その場にとどまっている侵入者を撮像する可能性を高くできる。また、エレベータ等に近い住戸ほど撮像期間が長くなるように設定するので、逃走している侵入者を撮像する可能を高くできる。また、出入口に近い住戸ほど撮像期間が長くなるように設定するので、逃走している侵入者を撮像する可能を高くできる。
【００４３】
本発明の一態様の概要は、次の通りである。本発明のある態様の指示装置２０は、ドアホン１８に備えられた撮像部５８において撮像された映像を表示可能であるとともに、警報信号を出力可能な室内装置１６を制御する指示装置２０であって、複数の室内装置１６のそれぞれと通信する通信部７０と、通信部７０において、複数の室内装置１６のうちのいずれかから警報信号を受信した場合に、ドアホン１８に備えられた撮像部５８に撮像を開始させるべき少なくとも１つの室内装置１６を特定する特定部７２と、特定部７２において特定した少なくとも１つの室内装置１６に対して、一定期間にわたる撮像を、通信部７０を介して指示する指示部７４と、を備える。
【００４４】
特定部７２は、通信部７０が受信した警報信号の出力元である室内装置１６が設置された区域であって、かつ集合住宅内を複数の区域に分割した場合のいずれかの区域を特定する区域特定部７６と、区域特定部７６において特定した区域に設置された少なくとも１つの室内装置１６を特定する室内装置特定部７８を備えてもよい。
【００４５】
特定部７２において特定した少なくとも１つの室内装置１６のそれぞれに対する撮像期間を決定する決定部８０をさらに備えてもよい。指示部７４は、決定部８０において決定した撮像期間も指示してもよい。
【００４６】
本発明の別の態様は、撮像システムである。この撮像システム１００は、複数の室内装置１６と、複数の室内装置１６のそれぞれを制御する指示装置２０とを備える。複数の室内装置１６のそれぞれは、ドアホン１８に備えられた撮像部５８において撮像された映像を表示可能であるとともに、警報信号を出力可能であり、指示装置２０は、複数の室内装置１６のそれぞれと通信する通信部７０と、通信部７０において、複数の室内装置１６のうちのいずれかから警報信号を受信した場合に、ドアホン１８に備えられた撮像部５８に撮像を開始させるべき少なくとも１つの室内装置１６を特定する特定部７２と、特定部７２において特定した少なくとも１つの室内装置１６に対して、一定期間にわたる撮像を、通信部７０を介して指示する指示部７４とを備える。
【００４７】
（実施例２）
次に、実施例２を説明する。実施例２は、実施例１と同様に、非常事態になった場合、発報側の住戸以外の住戸に設置されたドアホンの撮像部も撮像を開始する撮像システムに関する。実施例２は、実施例１と比較して、受報側の室内装置を特定するための基準が異なる。実施例２では、発報側の室内装置が配置された住戸から、マンションの出入口へ至る経路に配置された住戸のそれぞれに配置された室内装置を特定する。実施例２に係る撮像システム１００、室内装置１６、ドアホン１８は、図１、図２と同様のタイプである。ここでは、これまでとの差異を中心に説明する。
【００４８】
図８は、本発明の実施例２に係る指示装置２０の構成を示す。指示装置２０は、通信部７０、特定部７２、指示部７４を含み、特定部７２は、出力元特定部９０、記憶部９２、室内装置特定部９４を含み、室内装置特定部９４は、決定部８０を含む。
【００４９】
出力元特定部９０は、通信部７０が受信した警報信号の出力元である室内装置１６を特定する。前述のごとく、警報信号には識別情報が含まれており、識別情報が住戸番号である場合、出力元特定部９０は、住戸番号を抽出する。住戸番号を抽出することが、室内装置１６を特定することに相当する。出力元特定部９０は、抽出した住戸番号を室内装置特定部９４に出力する。
【００５０】
記憶部９２は、各室内装置１６に対して、当該室内装置１６が設置された住戸１４から、集合住宅の出入口に至る経路に配置される少なくとも１つの住戸１４のそれぞれに設置された室内装置１６が示されたテーブルを記憶する。このテーブルの内容については、室内装置特定部９４での処理とともに後述する。
【００５１】
室内装置特定部９４は、出力元特定部９０において特定した室内装置１６を識別するための住戸番号を入力する。室内装置特定部９４は、入力した住戸番号と、記憶部９２に記憶したテーブルをもとに、集合住宅の出入口に至る経路に配置される少なくとも１つの住戸１４のそれぞれに設置された室内装置１６を特定する。
【００５２】
図９は、室内装置特定部８４での処理概要を示す。図９は、図４と同様に示される。ここでも、警報信号に含まれた識別情報は住戸番号「６０３」を示す。住戸番号「６０３」の住戸１４から出入口に至る経路とは、住戸番号「６０３」の住戸１４からエレベータＥＶに至る経路と、エレベータＥＶから出入口に至る経路である。前者が６階での経路であり、後者が１階での経路である。また、６階での経路には、住戸番号「６０４」、「６０５」の住戸１４が含まれ、１階での経路には、住戸番号「１０５」から「１０１」の住戸１４が含まれる。そのため、記憶部９２におけるテーブルには、住戸番号「６０３」に対して、住戸番号「６０３」から「６０５」と、住戸番号「１０５」から「１０１」が示されている。
【００５３】
図１０は、室内装置特定部８４での別の処理概要を示す。図１０では、警報信号に含まれた識別情報が図９の場合と異なっている。ここでの警報信号に含まれた識別情報は住戸番号「４０８」を示す。住戸番号「４０８」の住戸１４から出入口に至る経路とは、住戸番号「４０８」の住戸１４からエレベータＥＶに至る経路と、エレベータＥＶから出入口に至る経路である。前者が４階での経路であり、後者が１階での経路である。また、４階での経路には、住戸番号「４０８」から「４０６」の住戸１４が含まれ、１階での経路には、住戸番号「１０５」から「１０１」の住戸１４が含まれる。そのため、記憶部９２におけるテーブルには、住戸番号「４０８」に対して、住戸番号「４０８」から「４０６」と、住戸番号「１０５」から「１０１」が示されている。なお、記憶部９２におけるテーブルには、他の住戸番号に対しても同様に１つの以上の住戸番号が示されている。図８に戻る。
【００５４】
このように出力元特定部９０、室内装置特定部９４は、発報側の室内装置１６から警報信号を受信した場合に、ドアホン１８に備えられた撮像部５８に撮像を開始させるべき少なくとも１つの受報側の室内装置１６を特定する。室内装置特定部９４は、室内装置特定部７８と同様に、ロビーインターホン１０および増設カメラ２２を特定してもよい。室内装置特定部９４は、特定した室内装置１６に関する情報を指示部７４に出力する。決定部８０は、室内装置特定部９４において特定した少なくとも１つの室内装置１６のそれぞれに対する撮像期間を決定する。撮像期間は、例えば、出入口に近い住戸１４に配置された室内装置１６ほど長くなるように設定される。決定部８０は、決定した撮像期間を指示部７４に出力する。
【００５５】
本実施例によれば、発報側の室内装置が設置された住戸から集合住宅の出入口に至る経路に配置される少なくとも１つの住戸のそれぞれに設置された室内装置を特定するので、逃走経路に沿った撮像を実行できる。また、逃走経路に沿った撮像が実行されるので、逃走している侵入者を撮像する可能を高くできる。また、発報側の室内装置が設置された住戸から集合住宅の出入口に至る経路に配置される少なくとも１つの住戸をテーブルに記憶しておくので、処理を簡易にできる。
【００５６】
本発明の一態様の概要は、次の通りである。特定部７２は、通信部７０が受信した警報信号の出力元である室内装置１６が設置された住戸から集合住宅の出入口に至る経路に配置される少なくとも１つの住戸のそれぞれに設置された室内装置１６を特定してもよい。
【００５７】
特定部７２は、各室内装置１６に対して、集合住宅の出入口に至る経路に配置される少なくとも１つの住戸のそれぞれに設置された室内装置１６を示したテーブルを記憶する記憶部９２と、通信部７０が受信した警報信号の出力元である室内装置１６を特定する出力元特定部９０と、出力元特定部９０において特定した室内装置１６と、記憶部９２に記憶したテーブルをもとに、集合住宅の出入口に至る経路に配置される少なくとも１つの住戸のそれぞれに設置された室内装置１６を特定する室内装置特定部９４を備えてもよい。
【００５８】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５９】
本実施例１、２において、室内装置１６の情報として、住戸番号が使用される。しかしながらこれに限らず例えば、室内装置１６の情報には、棟番号が含まれてもよい。本変形例によれば、さまざまな形態の集合住宅に対応可能である。
【００６０】
本実施例１、２において、通信部３２は、トラヒック量が少なくなった場合に、記憶部４０に録画した映像を送信する。しかしながらこれに限らず例えば、重要度の高い、つまり発報側の室内装置が設置された住戸に近い住戸での室内装置から順に、記憶部４０に録画した映像を送信してもよい。本変形例によれば、侵入者を撮影している可能性の高い映像から確認できる。
【００６１】
本実施例１、２において、指示装置２０は、制御装置１２に含まれる。しかしながらこれに限らず例えば、指示装置２０は、制御装置１２に含まれず、ロビーインターホン１０に含まれてもよい。また、指示装置２０は、ロビーインターホン１０、制御装置１２とは別に設けられてもよい。本変形例によれば、構成の自由度を向上できる。
【００６２】
本実施例１、２において、撮像システム１００はマンション等の集合住宅に設置されている。しかしながらこれに限らず例えば、撮像システム１００は、オフィスや工場等の建物内、あるいは建物外に設置されてもよい。本変形例によれば、本実施例の適用範囲を拡大できる。
【００６３】
本実施例１、２において、室内装置１６は、映像を録画する。しかしながらこれに限らず例えば、室内装置１６は、音声を録音してもよい。本変形例によれば、さまざまな情報を取得できる。
【００６４】
本実施例１において、区域として、階数が使用される。しかしながら、１つの階のフロア面積が広い場合に、１つの階に対して複数の区域を設定してもよい。また、棟を考慮して区域を設定してもよい。本変形例によれば、集合住宅の形状に応じた区域を設定できる。
【符号の説明】
【００６５】
１０  ロビーインターホン、  １２  制御装置、  １４  住戸、  １６  室内装置、  １８  ドアホン、  ２０  指示装置、  ２２  増設カメラ、  ２４  共用部幹線、  ２６  占有幹線、  ２８  サーバ装置、  ７０  通信部、  ７２  特定部、  ７４  指示部、  ７６  区域特定部、  ７８  室内装置特定部、  １００  撮像システム。
【図１】
0006534033.tif 000002
【図２】
0006534033.tif 000003
【図３】
0006534033.tif 000004
【図４】
0006534033.tif 000005
【図５】
0006534033.tif 000006
【図６】
0006534033.tif 000007
【図７】
0006534033.tif 000008
【図８】
0006534033.tif 000009
【図９】
0006534033.tif 000010
【図１０】
0006534033.tif 000011